(57)【特許請求の範囲】
【請求項１】
少なくとも一つの帯状のスタンプフィルム（１０、２０）の少なくとも一部を、帯状の基板（３０）にホットスタンプする方法であって、
スタンプされる前記基板（３０）が、少なくとも一つのスタンプフィルム（１０、２０）の一つのスタンプフィルム（１０、２０）に組み合わされ、
前記基板（３０）とその上に載る前記スタンプフィルム（１０、２０）とが、加熱された第一のスタンプローラー（５）の周囲に沿ってガイドされ、
第一のスタンプにおいて、前記基板（３０）とその上に載る前記スタンプフィルム（１０、２０）とが、前記第一のスタンプローラー（５）の前記周囲に配置される少なくとも一つの第一の加圧ローラー（５１）により、互いに、及び、前記第一のスタンプローラー（５）の加熱された表面に押圧され、第一のスタンプ層（１００）が前記基板（３０）にスタンプされ、
一度スタンプされた前記基板（３０）が、前記第一のスタンプローラー（５）から遠ざけてガイドされ、前記基板（３０）の移動方向（３３）に対して前記第一のスタンプローラー（５）の後に、少なくとも一つの前記スタンプフィルム（１０、２０）の同一のまたはさらなるスタンプフィルム（１０、２０）と再び組み合わされ、
一度スタンプされた前記基板（３０）とその上に載る前記スタンプフィルム（１０、２０）とが、加熱された第二のスタンプローラー（５）の周囲に沿ってガイドされ、
第二のスタンプにおいて、前記基板（３０）とその上に載る前記スタンプフィルム（１０、２０）とが、前記第二のスタンプローラー（５）の前記周囲に配置される少なくとも一つの第二の加圧ローラー（５１）により、互いに、及び、前記第二のスタンプローラー（５）の加熱された表面に押圧され、第二のスタンプ層（２００）が前記基板（３０）にスタンプされ、
二度スタンプされた前記基板（３０）が、前記第二のスタンプローラー（５）から遠ざけてガイドされ、
前記基板（３０）が、前記第一と第二のスタンプの間で、上下反転ステーション（４３）において上下反転されることを特徴とする、方法。
【請求項２】
前記第一のスタンプにおいて、前記基板（３０）とその上に載る前記スタンプフィルム（１０、２０）とが、前記第一のスタンプローラー（５）の周囲に互いに距離を置いて配置される少なくとも二つの第一の加圧ローラー（５１）により、互いに、及び、前記第一のスタンプローラー（５）の加熱された表面に押圧され、前記第一のスタンプ層（１００）が前記基板（３０）にスタンプされ、及び／または、前記第二のスタンプにおいて、前記基板（３０）とその上に載る前記スタンプフィルム（１０、２０）とが、前記第二のスタンプローラー（５）の周囲に互いに間隔を置いて配置される少なくとも二つの第二の加圧ローラー（５１）により、互いに、及び、前記第二のスタンプローラー（５）の加熱された表面に押圧され、前記第二のスタンプ層（２００）が前記基板（３０）にスタンプされること、
を特徴とする請求項１に記載の方法。
【請求項３】
前記基板（３０）が、前記第一のスタンプの前に、及び／または、前記第一と第二のスタンプの間に、及び／または、前記第二のスタンプの後に、少なくとも一つの印刷層（４１０）で印刷され、少なくとも一つの前記印刷層（４１０）が、スタンプされるエリア、及び／または、一度及び／または二度スタンプされた前記基板（３０）のスタンプされたエリアに配置されること、
を特徴とする請求項１または２に記載の方法。
【請求項４】
前記第一及び第二のスタンプ層（１００、２００）が、前記基板（３０）の反対の面（３０ｖ、３０ｒ）にスタンプされること、
を特徴とする請求項１から３のいずれか１項に記載の方法。
【請求項５】
窓開口が、前記第一のスタンプの前に、及び／または、前記第一と第二のスタンプの間に、及び／または、前記第二のスタンプの後に、前記基板（３０）に形成されること、
を特徴とする請求項１から４のいずれか１項に記載の方法。
【請求項６】
前記第一のスタンプの前に、及び／または、前記第一と第二のスタンプの間に、前記基板（３０）に、レジスターマーク（４１１）が印刷され、または、制御用開口（４２０）が形成され、前記第一のスタンプ層（１００）及び／または第二のスタンプ層（２００）の、前記基板（３０）の移動方向（３３）に沿う位置調整が、前記レジスターマーク（４１１）または前記制御用開口（４２０）を用いて制御され、及び／または、前記第二のスタンプ層（２００）の、前記基板（３０）の移動方向（３３）に沿う位置調整が、前記第一のスタンプ層（１００）に存在するデザイン特性及び／またはレジスターマーク（４１１）を用いて制御されること、
を特徴とする請求項１から５のいずれか１項に記載の方法。
【請求項７】
前記第一のスタンプ層（１００）が、少なくとも一つの第一のスタンプ経路（１０１）を、前記基板（３０）に形成するとともに、前記第二のスタンプ層（２００）が、少なくとも一つの前記第一のスタンプ経路（１０１）に対して、前記基板（３０）の移動方向（３３）の横方向にオフセットして配置される、少なくとも一つの第二のスタンプ経路（２０１）を、前記基板（３０）に形成すること、
を特徴とする請求項１から６のいずれか１項に記載の方法。
【請求項８】
前記第一のスタンプの後に、少なくとも一つの機能エレメント（４６０）が、前記第一のスタンプ層（１００）に配置され、該エレメントが、前記第二のスタンプにより、前記第一及び第二のスタンプ層（１００、２００）の間に封入されること、
を特徴とする請求項１から７のいずれか１項に記載の方法。
【請求項９】
前記第一のスタンプ層（１００）が、前記基板（３０）の第一の面（３０ｖ）に形成され、前記基板（３０）を貫通する窓開口（４２０）を覆い広がり、少なくとも一つの前記機能エレメント（４６０）が、前記基板（３０）の前記第一の面（３０ｖ）とは反対の第二の面（３０ｒ）から前記窓開口（４２０）に配置され、前記第二のスタンプ層（２００）が、前記基板（３０）の前記第二の面（３０ｒ）に形成され、前記窓開口（４２０）を覆い広がること、
を特徴とする請求項８に記載の方法。
【請求項１０】
ホットスタンプ装置であって、
基板の供給機であり、スタンプされる帯状の基板（３０）が供給される、基板の供給機と、
少なくとも一つの帯のガイド（３６）であり、少なくとも一つの帯状のスタンプフィルム（１０）が、供給される前記基板（３０）と組み合わされる、帯のガイドと、
加熱された第一のスタンプローラー（５）と、前記第一のスタンプローラー（５）の周囲に配置される少なくとも一つの第一の加圧ローラー（５１）とを備える、第一のスタンプステーション（１）であり、前記基板（３０）と、少なくとも一つの前記スタンプフィルム（１０、２０）の、前記基板に載る一つのスタンプフィルム（１０、２０）とが、前記第一のスタンプローラー（５）の周囲に沿ってガイド可能であり、従って、前記基板（３０）に載る前記スタンプフィルム（１０、２０）の少なくとも一部が、第一のスタンプ層（１００）の形態で、前記基板（３０）にスタンプ可能である、第一のスタンプステーションと、
加熱された第二のスタンプローラー（５）と、前記第二のスタンプローラー（５）の周囲に配置される少なくとも一つの第二の加圧ローラー（５１）とを備える、前記基板（３０）の移動方向（３３）に対して前記第一のスタンプステーション（１）の後に配置される、第二のスタンプステーション（２）であり、一度スタンプされた前記基板（３０）と、少なくとも一つの前記スタンプフィルム（１０、２０）の、前記基板に載る一つのスタンプフィルム（１０、２０）とが、前記第二のスタンプローラー（５）の周囲に沿ってガイド可能であり、従って、前記基板（３０）に載る前記スタンプフィルム（１０、２０）の少なくとも一部が、第二のスタンプ層（２００）の形態で、前記基板（３０）にスタンプ可能である、第二のスタンプステーションと、
基板の搬送ユニットであり、二度スタンプされた前記基板（３０）を該装置から移動することができる、搬送ユニットと、
前記第一及び第二のスタンプステーション（１、２）の間に配置される、前記基板（３０）を上下反転するための、上下反転ステーション（４３）と、
を含む、ホットスタンプ装置。
【請求項１１】
前記第一のスタンプステーション（１）が、前記第一のスタンプローラーの周囲に互いに距離を置いて配置される、少なくとも二つの第一の加圧ローラー（５１）を含み、それにより、前記基板（３０）と、少なくとも一つの前記スタンプフィルム（１０、２０）の前記基板に載る前記スタンプフィルム（１０、２０）とが、前記第一のスタンプローラーの周囲に沿ってガイド可能であり、従って、前記基板（３０）に載る前記スタンプフィルム（１０、２０）の少なくとも一部が、第一のスタンプ層（１００）の形態で、前記基板（３０）にスタンプ可能であり、及び／または、前記第二のスタンプステーション（２）が、前記第二のスタンプローラーの周囲に互いに距離を置いて配置される、少なくとも二つの第二の加圧ローラー（５１）を含み、それにより、一度スタンプされた前記基板（３０）と、少なくとも一つの前記スタンプフィルム（１０、２０）の前記基板に載る前記スタンプフィルム（１０、２０）とが、前記第二のスタンプローラーの周囲に沿ってガイド可能であり、従って、前記基板（３０）に載る前記スタンプフィルム（１０、２０）の少なくとも一部が、第二のスタンプ層（２００）の形態で、前記基板（３０）にスタンプ可能であること、
を特徴とする請求項１０に記載の装置。
【請求項１２】
前記第一のスタンプステーション（１）の前に、及び／または、前記基板（３０）の移動方向（３３）に対して、前記第一及び第二のスタンプステーション（１、２）の間に、及び／または、前記基板（３０）の移動方向（３３）に対して、前記第二のスタンプステーション（２）の後に配置される、少なくとも一つの印刷層（４１０）を、前記基板（３０）に適用するための、少なくとも一つの印刷メカニズム（４１）、
を特徴とする請求項１０または１１に記載の装置。
【請求項１３】
前記第一のスタンプステーションの前に、及び／または、前記基板（３０）の移動方向（３３）に対して、前記第一及び第二のスタンプステーション（１、２）の間に、及び／または、前記基板（３０）の移動方向（３３）に対して、前記第二のスタンプステーション（２）の後に配置される、少なくとも一つの開口窓を前記基板（３０）に形成するための、ユニット（４２）、及び／または、
前記基板（３０）上に、または前記基板中に配置され、レジスターマーク（４１１）として機能する特徴を検出するための、センサー（４４）、及び／または、
前記基板（３０）及び／または少なくとも一つの前記スタンプフィルム（１０、２０）のアライメント及び／または位置の補正のための、位置調整ユニット、及び／または、
前記基板（３０）の放射のための放射線ユニット、及び／または、
少なくとも一つの機能エレメント（４６０）を前記基板（３０）に配置するための配置ユニット、
を特徴とする請求項１０から１２のいずれか１項に記載の装置。
【発明の詳細な説明】
【技術分野】
【０００１】
本発明は、ホットスタンプの方法及び装置に関する。
【背景技術】
【０００２】
特許文献１は、帯状のホットスタンプフィルムによる、フレキシブルなウェブのスタンプの方法を説明している。動作速度を上げるために、ウェブとホットスタンプフィルムとは、支持台の加熱された表面に沿って、より長い距離に亘ってガイドされ、ウェブとホットスタンプフィルムとは、支持台に沿って互いに距離を置いて配置される複数の加圧ローラーにより、支持台の加熱された表面に対して、共に押圧される。これは、動作速度の少なくとも5倍の増加を可能とする。この方法を実施するための装置は、ローラーが、内側から外側へ漸進的に、スタンプローラーに徐々に適用されるように形成される、ローラー収容部の配置に特徴がある。この発明によるスタンプローラーは、可変トルクによる結合、例えば磁性粒子結合により、または、電子トルク制御、特に電気シャフトにより、駆動される。
【発明の概要】
【発明が解決しようとする課題】
【０００３】
本発明の目的は、改良されたホットスタンプ方法と、対応する装置とを提供することである。
【課題を解決するための手段】
【０００４】
この目的は、少なくとも一つの帯状のスタンプフィルムの少なくとも一部を、帯状の基板にホットスタンプする方法であって、スタンプされる前記基板が、少なくとも一つのスタンプフィルムの一つのスタンプフィルムに組み合わされ、前記基板とその上に載る前記スタンプフィルムとが、加熱された第一のスタンプローラーの周囲に沿ってガイドされ、第一のスタンプにおいて、前記基板とその上に載る前記スタンプフィルムとが、前記第一のスタンプローラーの前記周囲に配置される少なくとも一つの第一の加圧ローラーにより、互いに、及び、前記第一のスタンプローラーの加熱された表面に押圧され、第一のスタンプ層が前記基板にスタンプされ、一度スタンプされた前記基板が、前記第一のスタンプローラーから遠ざけてガイドされ、前記基板の移動方向に対して前記第一のスタンプローラーの後に、少なくとも一つの前記スタンプフィルムの同一のまたはさらなるスタンプフィルムと再び組み合わされ、一度スタンプされた前記基板とその上に載る前記スタンプフィルムとが、加熱された第二のスタンプローラーの周囲に沿ってガイドされ、第二のスタンプにおいて、前記基板とその上に載る前記スタンプフィルムとが、前記第二のスタンプローラーの前記周囲に配置される少なくとも一つの第二の加圧ローラーにより、互いに、及び、前記第二のスタンプローラーの加熱された表面に押圧され、第二のスタンプ層が前記基板にスタンプされ、二度スタンプされた前記基板が、前記第二のスタンプローラーから遠ざけてガイドされる方法によって、達成される。さらに、この目的は、ホットスタンプ装置であって、基板の供給機であり、スタンプされる帯状の基板が供給される、基板の供給機と、少なくとも一つの帯のガイドであり、少なくとも一つの帯状のスタンプフィルムが、供給される前記基板と組み合わされる、帯のガイドと、加熱された第一のスタンプローラーと、前記第一のスタンプローラーの周囲に配置される少なくとも一つの第一の加圧ローラーとを備える、第一のスタンプステーションであり、前記基板と、少なくとも一つの前記スタンプフィルムの、前記基板に載る一つのスタンプフィルムとが、前記第一のスタンプローラーの周囲に沿ってガイド可能であり、従って、前記基板に載る前記スタンプフィルムの少なくとも一部が、第一のスタンプ層の形態で、前記基板にスタンプ可能である、第一のスタンプステーションと、加熱された第二のスタンプローラーと、前記第二のスタンプローラーの周囲に配置される少なくとも一つの第二の加圧ローラーとを備える、前記基板の移動方向に対して前記第一のスタンプステーションの後に配置される、第二のスタンプステーションであり、一度スタンプされた前記基板と、少なくとも一つの前記スタンプフィルムの、前記基板に載る一つのスタンプフィルムとが、前記第二のスタンプローラーの周囲に沿ってガイド可能であり、従って、前記基板に載る前記スタンプフィルムの少なくとも一部が、第二のスタンプ層の形態で、前記基板にスタンプ可能である、第二のスタンプステーションと、基板の搬送ユニットであり、二度スタンプされた前記基板を該装置から移動することができる、搬送ユニットとを含む、ホットスタンプ装置によっても達成される。
【０００５】
この方法及び装置は、セキュリティエレメントを、高速プロセスで、例えば、1 m/minから500 m/min、特に、80 m/minから200 m/minまでの範囲の速度で、基板ウェブ、特に紙幣を製造するための紙ウェブ上にホットスタンプするのに適している。
【０００６】
本発明は、ローラーのデザイン、すなわち、ローラー・トゥ・ローラーの製造プロセスに基づいている。基板ウェブが、第一のスタンプステーションで実施される第一のスタンプと、第二のスタンプステーションで実施される第二のスタンプとで、少なくとも一つのスタンプフィルムによるスタンプ層でスタンプされるために、供給ローラーから巻き出され、単一の経路で装置をガイドされ、最終的に、保存ローラーに巻き取られる。また、スタンプとは別に、基板は、装置において、印刷層での印刷、窓開口の設定等の、さらなるアプリケーションが備えられ、または、放射線、湿潤等のさらなる処置を受けてもよい。
【０００７】
少なくとも一つのスタンプフィルムは、二つの異なるスタンプフィルムを含んでもよく、第一のスタンプにおいて、二つの異なるスタンプフィルムの第一のスタンプフィルムが、少なくとも部分的に基板にスタンプされ、これにより、第一のスタンプ層が基板に形成され、第二のスタンプにおいて、二つの異なるスタンプフィルムの第二のスタンプフィルムが、少なくとも部分的に基板にスタンプされ、これにより、第二のスタンプ層が基板に形成される。
【０００８】
これに代わり、少なくとも一つのスタンプフィルムが、単一のスタンプフィルムを含んでもよく、第一のスタンプにおいて、スタンプフィルムが部分的に基板にスタンプされ、これにより、第一のスタンプ層が基板に形成され、第二のスタンプにおいて、第一のスタンプ後に残ったスタンプフィルムの残部が、少なくとも部分的に基板にスタンプされ、これにより、第二のスタンプ層が基板に形成されてもよい。
【０００９】
少なくとも一つのスタンプ層の少なくとも一つは、キャリアフィルムと、好ましくは熱によりキャリアフィルムから剥離され、基板に転写可能な、転写層と、を有する、転写フィルムとして形成されてもよい。この場合、スタンプ後に、転写層のみが、スタンプ層の形態で、基板に残り、キャリアフィルムは、転写層から分離される。転写フィルムとして形成された単一のスタンプフィルムが、第一及び／または第二のスタンプに使われる場合、スタンプフィルム、すなわち、転写層の一部のみが、各スタンプにおいて、基板にスタンプされる。
【００１０】
少なくとも一つのスタンプフィルムの少なくとも一つは、仕上げ層を備えたラミネートフィルムとして形成されてもよく、キャリアフィルムと、仕上げ層、例えば加飾層と、特に熱活性可能な接着層とを有し、それらが、基板にスタンプ層の形態で共に配置される。少なくとも一つのスタンプフィルムの少なくとも一つは、スタンプ層の形態で基板に配置される、仕上げ層を備えないラミネートフィルムとして形成されてもよい。ラミネートフィルムとして形成された単一のスタンプフィルムが、第一及び／または第二のスタンプに使われる場合、全スタンプフィルムが、各スタンプにおいて、基板にスタンプされる。
【００１１】
例えば、ポリエステル、ポリエチレン・テレフタレート（＝PET）、ポリエチレン・ナフタレート（＝PEN）、ポリエチレン（＝PE）、ポリプロピレン（＝PP）、または、ポリカーボネート（＝PC）で作られる、好ましくは6 μmから125 μmの厚みの、ポリマーフィルムが、キャリアフィルムとして機能することができる。
【００１２】
スタンプフィルムは、基板に対向する面に、熱活性可能な接着層を有することが好ましく、それにより、スタンプフィルム、すなわち、スタンプ層の少なくとも一部が、または、全スタンプフィルムが、基板に付着される。さらに、スタンプ層またはスタンプフィルムは、基板から離れた面に、印刷受け入れ層を有し、重ね合わせ印刷の適性、すなわち、スタンプ層またはスタンプフィルムに対する印刷インクの付着に関して、スタンプ層またはスタンプフィルムの特性を改善してもよい。
【００１３】
スタンププロセスにおいて、転写フィルムとして形成されたスタンプフィルムの転写層は、例えば、第一シリーズのユーロ紙幣の5、10及び20ユーロ紙幣のフィルム帯の場合のように、好ましくは全パネルに亘って延びる帯の形態で、基板に全表面に亘ってスタンプされてもよい。また、スタンププロセスにおいて、転写フィルムとして形成されたスタンプフィルムの転写層は、例えば、第一シリーズのユーロ紙幣の50、100、200及び500ユーロ紙幣のフィルムエレメントの場合のように、例えば円形、楕円形、または矩形の輪郭を備える、部分的に限定されたフィルムエレメントの形態で、基板に部分的にスタンプされてもよい。
【００１４】
また、スタンプフィルムは、例えば特許文献２で説明されるような、ホットスタンプラベルを備える転写フィルムであってもよい。この転写フィルムは、第一のキャリアフィルムと、第一のキャリアフィルムから剥離可能な、単一層の、または、複数層のデカール層とを有する、ベースフィルムを含む。第二のキャリアフィルムが、第一の接着層により、第一のキャリアフィルムのデカール層から離れた表面に適用され、第一の接着層が、第一のキャリアフィルムと第二のキャリアフィルムとの間に配置される。第一の接着層は、ベースフィルムの第一の部分的エリアを少なくとも部分的にカバーする第一のエリアにおいて活性化され、そのエリアの隣の、第二のエリアにおいては、活性化されず、備えられず、部分的にのみ備えられ、または、活性化されない。続いて、第一のキャリアフィルムは、少なくとも一つの第一の部分的エリアを規定し、ベースフィルムの第二の部分的エリアから少なくとも一つの第一の部分的エリアを分離する、境界線に沿って、少なくとも部分的に分離される。第二の部分的エリアを含むベースフィルムの第二のエリアは、第二のキャリアフィルムから剥され、少なくとも一つの第一の部分的エリアにおいて、ベースフィルムは、活性化された第一の接着層に因り、第二のキャリアフィルムに付着し、少なくとも一つの第一の部分的エリアを含むベースフィルムの第一のエリアは、第二のキャリアフィルム上に残る。従って、第二のキャリアフィルム上に残るベースフィルムの第一のエリアのデカール層は、それ自体のキャリアフィルム、すなわち、第一のキャリアフィルムと共に、転写可能なラベルを形成し、この転写可能なラベルは、補助キャリアフィルム、すなわち、第二のキャリアフィルム上に保持され、そこから、スタンププロセスにおいて、基板にスタンプされ、または、剥離される。円形の輪郭の場合、この転写可能なラベルは、“ピル”と呼ばれる。このスタンプフィルムを用いて、従来の転写プロセスにより、セキュリティドキュメント、例えば、紙幣またはID証（身分証、ID＝識別）に転写可能で、転写された多層体のエッジエリアにおけるデカール層の抑制されない剥がれに起因する“ほころび”の発生を回避する、セキュリティエレメントを提供することができる。“ピル”は、特に、基板における窓開口を塞ぐ働きをすることができる。
【００１５】
このフィルムは、その最上面に、重ね合わせ印刷の適性に関して、すなわち、印刷インクの付着に関して、フィルムの特性を改善する、印刷受け入れ層を有してもよい。
【００１６】
ロール・トゥ・ロールプロセスにおけるスタンプの間に生じる、特に機械的なストレスに耐える、ウェブ形態の任意の材料が、基板として機能することができる。実際には、これに対して、繊維基板またはポリマー基板が、まず検討される。紙または綿基板、天然繊維材料（例えば、紙、綿）及びプラスティックの組み合わせで作られる、積層品または押し出し成型品、例えば、紙または繊維及びプラスティックの複数の層の複合材料等の、単一層または多層の繊維基板と、単一層または多層のプラスティック基板とが、紙幣基板として特に適している。既知の紙−プラスティックの組み合わせは、スイスのLandqart AGのDurasafe（登録商標）紙幣用紙である。紙幣用の綿−プラスティックの組み合わせは、例えば、ドイツのGiesecke & Devrient GmbHにより、供給される。既知のプラスティック基板は、オーストラリアのSecurency International Pty Ltd.,及び英国のInnovia Filmsの、Guardian（登録商標）紙幣基板である。
【００１７】
基板ウェブは、パネルとも呼ばれる、多数の同一のセグメントに分割され、このパネルは、基板の移動方向に沿う縦列で、及び、基板の移動方向に対して横切る横列で、基板ウェブ上に配置される。一つのパネルは、例えば、紙幣、業務文書のシート、または、IDページの形態であってもよい。基板ウェブのパネルへの分割は、利用可能な基板ウェブを最適に利用し、同一の印刷製品を多数形成するための、印刷技術における標準的なプロセスである。
【００１８】
基板ウェブは、例えば、1から2メートルのその幅に依り、特定の数の隣り合うパネル列、例えば3から8列を有する。特定の数のスタンプ経路が、各パネル列に割り当て可能であり、すなわち、特定の数のスタンプ層が、各パネルに適用される。
【００１９】
従来のスタンプ装置の場合、二つのスタンプ経路の間の最小距離は、構造的な理由により、略100 mmの範囲にある。これは、スタンプフィルムの引っ張りユニットの、基板の移動方向に対する横方向の寸法に起因し、すなわち、帯のガイド、ローラー、及び、スタンプの間にスタンプフィルムをガイドし、特に、スタンプフィルムの緊張を維持し、及び／または、けん引力により、スタンプフィルムの長手方向の位置を僅かに調整可能とするために、スタンプフィルムにけん引力を印加する、他の部品の幅に起因する。フィルムの引っ張りユニットは、機構またはモーター等により決まる、固有の最小幅を有し、これが、二つのスタンプ経路の間の最小距離を制限し、実質的により小さい距離での、隣り合うスタンプ層のスタンプウェブへのスタンプを、不可能とする。隣り合うフィルムの引っ張りユニットを、基板の移動方向においてオフセットした配置の場合でも、二つのスタンプ経路の間の最小距離の低減は、実質的に不可能である。
【００２０】
シートまたはローラーのデザインに基づき、スタンプステーションを一つだけ有する、従来のスタンプ装置では、上述したような、基板、すなわちシートまたは基板ウェブへの、一度の通過で可能なスタンプ経路の最大数を超える多数のスタンプ作業の実施が望まれる場合、一度目のスタンププロセス終了後、基板が、二度目のスタンプ通過で、同じ装置を再度ガイドされる必要がある。これらの二度の通過に因り、最終処理速度、すなわち、最終製品、すなわち、スタンプされる基板の生産率は、少なくとも50%低減される。
【００２１】
この複数回の通過のデメリットは、処理速度の大幅な低減と、単一の装置で必要な可能性のある変更作業とは別に、基板の暫定保存の必要性であり、基板は、紙幣の製造の場合、一般に、紙の形態で存在し、または、上述した、他の天然繊維基板から作られる。紙、または、他の天然繊維基板は、“生きて”おり、すなわち、雰囲気湿度及び温度等の環境条件で変化する。従って、二度の通過の間での暫定保存の間、紙は、より厳密に制御できない状態に達し、一度目のスタンプの前の状態とは異なる。これにより、二度目のスタンプは、一度目のスタンプと同じ条件下で実施することができない。装置は、異なる紙の特性に対して調整される必要があり、これは、時間の浪費である。しかしながら、異なる特性と同時に、紙は、異なる寸法を有し、これは、環境条件に依り、紙は、特に、全空間方向において、非線形で僅かにたわむためである。また、これは、第一及び第二のスタンプの間、または、第二のスタンプ及び紙の間の、位置精度または位置合わせの精度低下の可能性を意味する。
【００２２】
シートまたはローラーのデザインに基づき、スタンプステーションを一つだけ有する、従来のスタンプ装置とは対称的に、本発明では、上述したデメリットが生じない。
【００２３】
連続して配置される二つのスタンプステーションでの連続した多数のスタンプ、すなわち、“インライン製造”に依り、従来の二度の通過システムに比べて、本発明で、プロセス速度の大幅な増加、すなわち、最終製品、すなわち、最終的なスタンプされた基板の生産率の大幅な向上を達成することができる。
【００２４】
二つのスタンプステップの秒レベルでの速い時間シーケンスに因り、第二のスタンプの間、第一の間と略同じスタンプ条件が実施され、または、紙の現状の特性の正確な情報が存在し、これは、環境条件が、第一及び第二のスタンプの間で、ほとんど変化しないからである。第一のスタンプの前の紙の特性の情報、及び、たとえば湿度に因る、第一のスタンプからのわずかな変化に基づいて、第二のスタンプが、既知の条件に対して、正確に調整可能である。従って、本発明により、大きく変化し略未知である紙の特性に対する、場合により時間を浪費するスタンプ条件の調整が、省略される。同時に、第一及び第二のスタンプの間で、正確性が向上する。
【００２５】
本発明によれば、基板ウェブ及びその上に載るスタンプフィルムは、スタンプローラーの加熱された表面に沿って、より長い距離に亘り、ガイドされ、基板ウェブ及びスタンプフィルムは、加熱された表面に沿って互いに距離を置いて配置される複数の加圧ローラーにより、共に、互いに、及び、スタンプローラーの加熱された表面に押圧される。従って、複数の“列”が、連続して提供され、それらを通じて、スタンプ層を備えた基板ウェブが走り、これらの列において、スタンプ層が、加圧ローラーにより、それぞれ加飾される基板ウェブに押圧される。スタンプステーションのこのデザインの利点は、例えば、特許文献１及び特許文献３で説明されるように、スタンプフィルムを備えた基板ウェブが、個々の列の間の経路で絶えず加熱され、従って、異なる加圧ローラーの間の中間スペースにおいて、冷却が生じない、ということである。こうして、150 m/min以上の著しい作業速度を達成することができる。個々の加圧ローラーの間で、基板ウェブ及びスタンプフィルムの冷却が生じないため、デカールイメージの歪みの発生の危険性もない。この配置により、著しい運転速度が達成されるだけでなく、同時に、高いスタンプ品質も達成される。
【００２６】
本発明の有利な実施形態は、従属項に記載される。
【００２７】
前記第一及び／または第二のスタンプにおいて、前記基板とその上に載る前記スタンプフィルムとが、前記スタンプローラーの前記周囲に互いに距離を置いて配置される少なくとも二つの加圧ローラーにより、互いに、及び、前記第一のスタンプローラーの加熱された表面に押圧される場合が、特に好ましい。これにより、運転速度の大幅な向上が可能であり、これは、スタンプローラーの周囲に沿ってガイドされ、基板に載るスタンプフィルムに対して、圧力及び熱が適用される表面積が増えるからである。表面積の増加に因り、スタンプフィルムに圧力及び熱が作用する時間も延び、これにより、スタンプフィルムの基板への特に良好な接着、及び／または、転写フィルムとして形成されたスタンプフィルムの転写層の良好な剥離を特に達成するために、特に、接着層及び任意でスタンプフィルムの剥離層が、十分に活性化され得る。
【００２８】
この観点では、第一のスタンプステーションが、第一のスタンプローラーの周囲に互いに距離を置いて配置される、少なくとも二つの第一の加圧ローラーを含み、これにより、基板及び少なくとも一つのスタンプフィルムの基板に載るスタンプフィルムが、第一のスタンプローラーの周囲に沿ってガイド可能であり、従って、基板に載るスタンプフィルムの少なくとも一部が、第一のスタンプ層の形態で、基板にスタンプ可能である場合、及び／または、第二のスタンプステーションが、第二のスタンプローラーの周囲に互いに距離を置いて配置される、少なくとも二つの第二の加圧ローラーを含み、これにより、一度スタンプされた基板及び少なくとも一つのスタンプフィルムの基板に載るスタンプフィルムが、第二のスタンプローラーの周囲に沿ってガイド可能であり、従って、基板に載るスタンプフィルムの少なくとも一部が、第二のスタンプ層の形態で、基板にスタンプ可能である場合が、本発明による装置の好ましい一実施形態である。
【００２９】
本発明の好ましい実施形態によれば、前記基板は、前記第一のスタンプの前に、及び／または、前記第一と第二のスタンプの間に、及び／または、前記第二のスタンプの後に、少なくとも一つの印刷層で印刷される。印刷層は、基板と第一のスタンプ層との間、及び／または、第一と第二のスタンプ層の間、または、第二のスタンプ層の上に配置されてもよい。このために、ホットスタンプ装置は、第一のスタンプステーションの前に、及び／または、基板の移動方向に対して、第一と第二のスタンプステーションの間に、及び／または、基板の移動方向に対して、第二のスタンプステーションの後に配置される、印刷層を基板に適用するための、少なくとも一つの印刷メカニズムを含むことが好ましい。スタンププロセスの間に、基板及び／またはスタンプされたスタンプ層に印刷するために、オフセット印刷、シルクスクリーン印刷、グラビア印刷、または、インクジェット印刷においてインクまたは機能層を印刷するための印刷メカニズムは、どの位置に配置されてもよく、ホットスタンプ装置内、すなわち、最終的な巻き取りユニットと巻き出しユニットとの間で、スタンプステーションとは独立していることが好ましい。
【００３０】
本発明の好ましい実施形態によれば、少なくとも一つの前記印刷層は、スタンプされるエリア、及び／または、一度及び／または二度スタンプされた前記基板のスタンプされたエリアに配置される。本発明による複数のスタンプステーションにより、第一のスタンプ層は、基板上で下重ね印刷されるだけでなく、すなわち、印刷層が、第一のスタンプの前に、基板に適用されるだけでなく、上重ね印刷され、すなわち、印刷層が、第一のスタンプの後に、第一のスタンプ層に適用され、第一のスタンプ層に適用された印刷層が、例えば印刷層をシールするために、再び上重ねスタンプされてもよい。また、第二のスタンプ層を、再び上重ね印刷してもよい。これにより、層の正確な合わせの相互作用が、新しい光学的及び／または機能的効果を好ましくは生じる、印刷層とスタンプ層との任意のサンドイッチ構造、例えば、印刷層／スタンプ層／印刷層／スタンプ層／印刷層の層構造が、可能である。
【００３１】
可視または不可視（IR蛍光性／UV蛍光性）の、デカールまたはセキュリティ印刷、例えば、Iriodin（登録商標）ストリップが、観察角度に応じた真珠光沢効果を生じるために、印刷層として適用されてもよい。また、機能層、例えば、下塗層、接着層、接着促進層、印刷受け入れ層、防塵層、含浸層、保護ラッカー層、複製ラッカー層、効果顔料層等が、印刷層として適用されてもよい。
【００３２】
本発明の好ましい実施形態によれば、前記基板は、前記第一及び第二のスタンプの間に、上下反転ステーションにおいて上下反転される。このために、ホットスタンプ装置は、第一と第二のスタンプステーションの間に配置される、基板を上下反転するための、上下反転ステーションを含むことが好ましい。上下反転ステーションは、反転バーとして形成されてもよい。上下反転ステーションが作動された場合、複数のスタンプローラーが同じ方向に回転しているにもかかわらず、第一及び第二のスタンプは、基板の反対の面に行うことができる。第一のスタンプは、基板の第一の面に行われ、第二のスタンプは、基板の第一の面とは反対の第二の面に行われる。上下反転ステーションが不作動またはバイパスされる場合、第二のスタンプは、第一のスタンプと同じ面に実施される。
【００３３】
また、前記第一及び第二のスタンプ層は、上下反転ステーションを用いることなく、前記基板の反対の面にスタンプすることもできる。この場合、第一及び第二のスタンプローラーは、逆方向に回転する。
【００３４】
本発明の好ましい実施形態によれば、少なくとも一つの窓開口が、前記第一のスタンプの前に、及び／または、前記第一と第二のスタンプの間に、及び／または、前記第二のスタンプの後に、前記基板に形成される。このために、ホットスタンプ装置は、前記第一のスタンプステーションの前に、及び／または、前記基板の移動方向に対して、前記第一と第二のスタンプステーションの間に、及び／または、前記基板の移動方向に対して、前記第二のスタンプステーションの後に配置される、基板において少なくとも一つの窓開口を形成するための、ユニットを含むことが好ましい。少なくとも一つの窓開口を形成するためのユニットは、穿孔ユニット、特に、回転穿孔シリンダー、レーザー切削ユニット、または、ウォータージェット切削ユニットにより形成される場合が有利であることが、判明している。穿孔シリンダーを用いて基板に形成される複数の窓開口の間の距離は、例えば、穿孔シリンダーの周囲で、事前に決定され、連続的に反復される。穿孔シリンダーの位置と、その回転速度とは、制御可能である。しかしながら、非回転の穿孔ツールが用いられてもよい。窓開口は、基板の製造中、特に、対応するデザインの紙スクリーンによる紙製品の製造中に、既に基板に形成されてもよい。この種の窓開口は、基板材料の性質に応じて、通常特徴的なほころんだエッジを有する。この窓開口は、穿孔ユニットにより、全体的に、または部分的に、重ねて穿孔されてもよい。
【００３５】
本発明の好ましい実施形態によれば、前記第一のスタンプの前に、及び／または、前記第一と第二のスタンプの間に、前記基板に、レジスターマークが印刷され、及び／または、制御用開口が形成され、前記第一のスタンプ層及び／または第二のスタンプ層の、前記基板の前記移動方向に沿う位置調整が、すなわち、長手方向の合わせにおける位置調整が、前記レジスターマークまたは前記制御用開口を用いて制御される。また、レジスターマークは、基板の製造中に形成される、基板に存在する透かしであってもよい。また、レジスターマークは、印刷されるレジスターマーク、及び／または、透かし、及び／または、制御用開口の組み合わせから形成されてもよい。上述した窓開口の形成は、レジスターマークまたは制御用開口を用いて、制御された状態で行うことができる。このために、ホットスタンプ装置及び／または穿孔ユニットは、基板上または基板中に配置された、レジスターマークとして機能する特徴を検出する少なくとも一つのセンサーを含むことが好ましい。このセンサーは、レジスターマークの光学的検出用の、信号が調整装置に送られる、カメラシステムとして、または、レジスターマーク判読装置として、形成されてもよい。
【００３６】
レジスターマークは、基板上に配置され、印刷、スタンプ、または窓開口の形成等の、後続の基板プロセスステップまたは処理ステップにおいて、プロセスステップまたは処理ステップに応じた、基板上の印刷層、スタンプ層、または窓開口等の、アプリケーションの位置の制御に役立つマークである。レジスターマークは、印刷されたレジスタークロスとして形成されてもよい。制御用開口は、基板に形成された、レジスターマークとして機能する、窓開口である。制御用開口は、レジスターホールとして形成されてもよい。このレジスターマークまたは制御用開口に因り、ウェブまたはパネルの外縁に対して、基板上の印刷層、スタンプ層、または窓開口等の、アプリケーションの所定の位置精度を維持することができる。これは、基板上に配置されるアプリケーションの合わせ精度とも呼ばれる。レジスターという表現は、基板ウェブの表または裏のアプリケーションの互いに対する位置的な精度をも指す。両面印刷の場合、上下反転合わせをも指す。多色印刷の場合、レジスター、特に、カラーレジスターというという表現は、互いに対する色の分離の位置をも指す。装置の方向または基板の移動方向では、円周方向または長手方向合わせと呼ばれ、及び、それらを横切る方向では、横断方向または横方向合わせと呼ばれる。
【００３７】
基板上のアプリケーション、例えば、基板上に配置される印刷層及びスタンプ層、及び、基板中に形成される窓開口の、横方向合わせ、すなわち、横方向での合わせは、通常常に提供され、存在する。このために、スタンプ経路等のアプリケーションの位置が、紙に対して制御され、スタンプ経路が、パネルのエッジから既定の距離で、正確に走るように設定される。また、スタンプ経路は、基板上で、常に同じ横方向位置で走る。このことは、ホットスタンプ装置のウェブエッジ制御により、保証可能であり、停止バーによって、基板が、正確なアライメントで、次のステーションに侵入することを保証する。
【００３８】
長手方向の位置合わせ、すなわち、基板上の二つの異なるアプリケーション間の長手方向における位置精度に関しては、様々な可能性が存在する。スタンプ経路等のアプリケーションは、長手方向において、位置合わせなく、すなわち、任意に存在する長手方向のレジスターマークを参照することなく、連続して基板に配置されてもよく、長手方向のレジスターマークに対して位置合わせされて、基板に配置されてもよい。
【００３９】
第一のスタンプが、長手方向において位置合わせなく行われ、第二のスタンプが位置合わせされて行われてもよい。この場合、有効エリア外に穿孔された制御用開口が、レジスターマークとして機能し、該開口が、有効エリア内で穿孔される窓開口と同時に形成されることが好ましい。しかしながら、レジスターマークは、紙基板に存在する透かし、または、例えばインクジェット印刷により適用される、基板に印刷されたマークであってもよい。
【００４０】
レジスターマークは、第一のスタンプの前に、例えばセキュリティ印刷が基板に適用されるステップと同じ印刷ステップにおいて、既に基板上に、及び／または基板内に存在してもよく、第一のスタンプ及び第二のスタンプは、このレジスターマークを用いて、位置合わせ精度が高く行われてもよい。
【００４１】
スタンプ層、または、基板に適用される印刷層または窓開口等の他のアプリケーションの実際の位置が、公称位置から外れる場合、それらの位置は、基板に対して補正される必要がある。このために、ホットスタンプ装置は、基板の位置及び／または少なくとも一つのスタンプフィルムの、アライメント及び／または補正のための、位置調整ユニットを含むことが好ましい。例えば、位置調整ユニットは、スタンプフィルムを、基板ウェブに対して、所定の距離、シフトする。また、位置調整ユニットは、異なるけん引力及び結果として生じるスタンプフィルムの伸長により、基板の移動方向に沿って、スタンプフィルムの位置を制御してもよい。
【００４２】
本発明の好ましい実施形態によれば、前記第二のスタンプ層の、前記基板の前記移動方向に沿う、すなわち、長手方向の位置合わせにおける位置調整が、前記第一のスタンプ層に存在するデザイン特性及び／またはレジスターマークを用いて制御される。
【００４３】
この場合、第二のスタンプにおいて、用いられる基準点は、基板上または基板内に直接位置し、好ましくは印刷されまたは穿孔された、レジスターマークではなく、光学的に検出可能なデザイン特性、及び／または、第一のスタンプ層と共に基板に適用されたレジスターマークであることが好ましい。このデザイン特性及び／または第一のスタンプ層におけるレジスターマークは、第二のスタンプに対するレジスターマークとして機能する。こうして、第一及び第二のスタンプ層の間の位置精度が、改善可能である。レジスターマークを有し、デザインを有さないスタンプ層は、レジスター層としてのみ機能してもよい。このスタンプ層は、基板のエッジに沿って、または、基板の有効エリア間に走る、スタンプ経路として、基板にスタンプされ、第二のスタンプにおいて、平行にスタンプされる全スタンプ経路に対して、レジスターマークを提供する。
【００４４】
また、第二のスタンプでスタンプされたスタンプ層の位置調整は、基板上または基板内に直接配置されたレジスターマークと、第一のスタンプ層と共に基板に適用されたレジスターマークとの組み合わせから得られる座標を用いて制御されてもよい。レジスターマークの座標は、基板上及び第一のスタンプ層上で検出され、検出された座標は補間され、第二のスタンプが補間値を用いて制御されてもよい。
【００４５】
本発明の好ましい実施形態によれば、前記第一のスタンプ層は、少なくとも一つの第一のスタンプ経路を、前記基板に形成する一方、前記第二のスタンプ層は、少なくとも一つの前記第一のスタンプ経路に対して、前記基板の前記移動方向の横方向にオフセットして配置される、少なくとも一つの第二のスタンプ経路を、前記基板に形成する。基板の移動方向おける、第一及び第二のスタンプステーションの間の空間的距離に因り、従来のスタンプ装置の場合に存在する、隣り合うスタンプ経路間の最小距離に関する制限を除去することができる。基板の一度の通過で、隣り合うスタンプ経路が、望まれる限り接近して基板にスタンプされ、スタンプの速い時間シーケンスにより、高いレベルの相対的な位置精度を伴う。
【００４６】
第一のスタンプ層は、第一のスタンプステーションにおいて、基板にスタンプされ、第二のスタンプ層は、第二のスタンプステーションにおいて、基板にスタンプされ、ここで、第一のスタンプ層に対する第二のスタンプ層の任意の所望のオフセットが、基板の移動方向に対して横方向に調整可能である。
【００４７】
例えば、特定の数のスタンプ経路、例えば3から8のスタンプ経路が、第一のスタンプにおいて、基板の一面にスタンプされ、同じ数のスタンプ経路が、第二のスタンプにおいて、第一のスタンプ経路に対して最小距離内でオフセットして、基板の同じ面に再びスタンプされてもよい。こうして、従来よりも、より多くの経路を、紙幣等のパネルに適用することができ、または、より小さい紙幣等のより小さい寸法のパネルに、それぞれ一つの経路をスタンプすることができ、このことは、従来のスタンプ装置の場合においては、存在する最小距離に関する制限により、可能ではなかった。従って、基板ウェブ上には、以前の経路の二倍が、一度の通過で可能であり、経路は、単一のスタンプステーションを備える従来のスタンプ装置の場合において実際の装置の限界により許容される以上に、互いに接近して存在する。第二の経路は、基板の長手方向において、第一の経路に直接隣り合い、及び／または、第一の経路と少なくとも部分的に重複してもよい。特に、これにより、転写フィルムとして形成されたスタンプフィルムの転写層が、スタンププロセスにおいて、部分的に、局所的に制限されるフィルムエレメントの形態、例えば、円形、楕円形、または正方形の輪郭で、基板にスタンプされる場合、基板において、複数のセキュリティエレメントまたはフィルムエレメントの、接近して隣り合う、及び／または、重なりあう配置の達成が可能である。
【００４８】
本発明の好ましい実施形態によれば、前記第一及び／または第二のスタンプ層、及び／または、スタンプ以外の方法で前記基板に配置され、特に印刷された、さらなる層が、前記基板にスタンプされまたは適用された後に高エネルギー放射線により硬化される、放射線硬化性成分を有する。このために、ホットスタンプ装置は、基板の放射のための放射線ユニットを含むことが好ましい。UV放射線または粒子放射線、例えば、電子放射線が、放射線として用いられることが好ましい。第一及び／または第二のスタンプは、UV硬化性ラッカーを含み、未だ最終硬化されていないスタンプ層と共に、行われてもよい。さらに、印刷の場合に、UV硬化性ラッカーを含み、未だ最終硬化されていない印刷インクが用いられてもよい。後硬化または最終硬化は、スタンプ後まで行われない。従って、例えば、印刷／フィルム、及び／または、フィルム／フィルムの重ね合わせを基板に提供することができ、これらの重なり合う層構造を、その基板への適用後に、硬化することができる。
【００４９】
これにより、基板に配置された層構造の層の、改善された、化学的、及び／または、物理的、及び／または、機械的な結合を、一つずつ基板へ適用した後に、達成することができる。また、互いに反応する層の成分も、考えられる。さらに、非硬化／固定状態で、層が互いに反応し、放射線により硬化される他の状態を形成してもよい。このプロセスは、スタンプステーションを一つだけ有する従来のスタンプ装置では不可避である、二つのスタンプの間の暫定保存が、障害となる、高速なインラインプロセスにおいてのみ行うことができる。
【００５０】
また、スタンプされるスタンプフィルムは、ライナー、例えば、スタンプの前に剥されるカバー層で、ダメージから保護されてもよい。スタンプフィルムは、例えば、液体状、ワックス状、粉末状、または、フレーク状（フレーク）の成分、または、スタンプ層または印刷層の間に封入される、チップ（ICs＝集積回路）等の小さい個々のエレメントを有してもよい。この好ましい例は、ディスプレイ、例えば、LCディスプレイまたはPDLCディスプレイであり、好ましくは、液体状、または、ワックス状の液晶材料（LC＝液晶；PDLC＝ポリマー分散型液晶）で作られ、または、液体状、ワックス状、または粉末状のe-インク-ディスプレイである。
【００５１】
本発明の好ましい実施形態によれば、前記第一のスタンプの後に、少なくとも一つの機能エレメントが、前記第一のスタンプ層に配置され、該エレメントが、前記第二のスタンプにより、前記第一及び第二のスタンプ層の間に封入される。また、個々のエレメントが、第一のスタンプの後に、基板に配置され、第二のスタンプにおいて、二つのスタンプ層の間に封入されてもよい。ホットスタンプ装置は、個々のエレメントを基板に配置するために、配置装置を含むことが好ましい。
【００５２】
基板の第一の面の第一のスタンプ層が形成されて、基板を貫通する窓開口を覆い広がり、少なくとも一つの機能エレメントが基板の第一の面とは反対側の第二の面から窓開口に配置され、基板の第二の面の第二のスタンプ層が形成されて、窓開口を覆い広がる場合が、有利である。ICチップ等の機能エレメントを、基板における窓開口または同様の凹部に配置する−従って、エレメントは凹部にある−ことにより、厚みの“増大”が、回避または低減される。
【００５３】
本発明の好ましい実施形態によれば、二度スタンプされた基板ウェブは、基板ウェブの移動方向に対して、第一のスタンプステーション及び／または第二のスタンプステーションの後に、湿潤される。このために、ホットスタンプ装置は、湿潤ステーションを含むことが好ましい。スタンププロセスの後のこのような再湿潤は、紙基板へのホットスタンプの場合に、特に有利であり、これは、スタンプの間の加圧及び加熱により紙基板から除去された水分を、紙に戻すことができるからである。紙基板における規定の残存水分は、基板の固有の弾性に対して、不可欠である。
【図面の簡単な説明】
【００５４】
本発明は、添付図面を用い、幾つかの実施形態を参照して、以下に説明される。
【００５５】
【図１ａ】ホットスタンプ装置の一実施形態の概略図である。
【図１ｂ】ホットスタンプ装置の一実施形態の概略図である。
【図１ｃ】ホットスタンプ装置の一実施形態の概略図である。
【図２】基板ウェブが、連続する様々なステーションを通過する、ホットスタンプ装置の概略図である。
【図３】加圧ローラーを備えたスタンプローラーの断面図である。
【図４ａ】第一及び第二のスタンプステーションを通過する基板ウェブの概略上面図を示す。
【図４ｂ】第一及び第二のスタンプステーションを通過する基板ウェブの概略上面図を示す。
【図５】第一及び第二のスタンプステーションを通過する基板ウェブの概略上面図である。
【図６ａ】第一及び第二のスタンプステーション通過後の、スタンプ及び印刷が成された基板ウェブの概略断面図である。
【図６ｂ】第一及び第二のスタンプステーション通過後の、スタンプ及び印刷が成された基板ウェブの概略断面図である。
【図６ｃ】第一及び第二のスタンプステーション通過後の、スタンプ及び印刷が成された基板ウェブの概略断面図である。
【図７ａ】第一及び第二のスタンプステーション通過後の、個々のエレメントを備えるスタンプされた基板ウェブの概略断面図である。
【図７ｂ】第一及び第二のスタンプステーション通過後の、個々のエレメントを備えるスタンプされた基板ウェブの概略断面図である。
【発明を実施するための形態】
【００５６】
図１ａは、第一及び第二のスタンプステーションが、それぞれ異なる転写フィルムで作動される、ホットスタンプ装置を示す。このホットスタンプ装置は、基板ウェブ３０が巻き出される供給ローラー３１と、基板ウェブ３０が順に通過する第一のスタンプステーション１及び第二のスタンプステーション２と、二度スタンプされた基板ウェブ３０が巻き取られる保存ローラー３２とを含む。基板ウェブ３０が第一のスタンプステーション１に入る前に、基板ウェブは、転写フィルムとして形成され、第一の供給リール１１から巻き出される、第一のスタンプフィルム１０と組み合わされる。概略図では、簡略化のために、供給リール１１が一つだけ表示されているが、実際には、基板ウェブ３０にスタンプされる第一のスタンプフィルムの数に一致する、複数の第一の供給リールが、通常平行に配置される。
【００５７】
転写フィルム１０が載った基板ウェブ３０は、第一のスタンプステーション１の加熱されたスタンプローラーの周囲にガイドされ、圧力調整が可能な加圧ローラーにより、互いに、及び、スタンプローラーの加熱表面に押圧される。スタンプローラー及び加圧ローラーは、図１ａから図１ｃに概略的に示される。スタンプローラー及び加圧ローラーのより詳細な説明は、図３を参照する図の説明において見出されたい。
【００５８】
転写フィルム１０の基板３０に対向する面に配置される接着層、及び、転写フィルム１０の剥離層は、第一のスタンプステーション１において、転写フィルム１０が載る基板ウェブ３０に作用する圧力及び熱により、活性化される。これにより、接着層は、転写フィルム１０の転写層を基板ウェブ３０に接合し、転写フィルム１０のキャリアフィルムは、基板ウェブ３０が第一のスタンプステーション１を通過した後に、転写層から剥離することができる。この剥離は、キャリアフィルムが、偏向ローラーにより、基板ウェブ３０から離れて、キャリアフィルムが巻き取られる第一の巻き取りリール１２に向かってガイドされるように、行われる。概略図では、簡略化のため、第一の巻き取りリール１２が一つだけ表示されているが、実際には、基板ウェブ３０にスタンプされる第一のスタンプフィルムの数に対応する、複数の第一の巻き取りリールが、通常平行に配置される。転写フィルム１０の転写層は、第一のスタンプ層として、基板ウェブ３０上に残る。
【００５９】
第二のスタンプステーション２を通過する前に、このように一度スタンプされた基板ウェブ３０は、転写フィルムとして形成され、第二の供給リール２１から巻き出される、第二のスタンプフィルム２０と組み合わされる。第一のスタンプステーション１での第一のスタンププロセスに対して上でなされた説明は、第二のスタンプステーション２での第二のスタンププロセスに対しても、同様に適用される。第二のスタンプステーション２を離れた後の、二度スタンプされた基板ウェブ３０は、最終的に、保存ローラー３２に巻き取られる。
【００６０】
図１ｂは、第一及び第二のスタンプステーションが、それぞれ、異なるラミネートフィルムで動作される、ホットスタンプ装置を示す。このホットスタンプ装置は、基板ウェブ３０が巻き出される供給ローラー３１と、基板ウェブ３０が順に通過する第一のスタンプステーション１及び第二のスタンプステーション２と、二度スタンプされた基板ウェブ３０が巻き取られる保存ローラー３２とを含む。基板ウェブ３０が第一のスタンプステーション１に入る前に、基板ウェブは、ラミネートフィルムとして形成され、第一の供給リール１１から巻き出される、第一のスタンプフィルム１０に組み合わされる。概略図では、簡略化のために、供給リール１１が一つだけ表示されているが、実際には、基板ウェブ３０にスタンプされる第一のスタンプフィルムの数に一致する、複数の第一の供給リールが、通常平行に配置される。
【００６１】
ラミネートフィルム１０が載った基板ウェブ３０は、第一のスタンプステーション１の加熱されたスタンプローラーの周囲にガイドされ、圧力調整が可能な加圧ローラーにより、互いに、及び、スタンプローラーの加熱表面に押圧される。転写フィルム１０の基板３０に対向する面に配置される接着層は、第一のスタンプステーション１において、ラミネートフィルム１０が載る基板ウェブ３０に作用する圧力及び熱により、活性化される。これにより、接着層は、ラミネートフィルム１０を基板ウェブ３０に接合する。ラミネートフィルム１０は、第一のスタンプ層として、基板ウェブ３０上に残る。
【００６２】
第一のスタンプステーション１後、さらなる作業ステップが、ここでは詳細に説明しないが、実施されてもよく、または、処理ステーションが通過されてもよく、例えば、穿孔ユニットにおいて、基板ウェブ３０及びその上に固定されたラミネートフィルム１０への窓開口の穿孔が実施されてもよい。続いて、基板ウェブ３０は、上下反転ステーションを通過し、そこで上下反転が可能であり、その結果、第二のスタンプステーション２において、第一のスタンププロセスに対して基板ウェブ３０の反対の面に、第二のスタンププロセスが行われ、特に、窓開口をカバーし、及び／または、再び閉じる。
【００６３】
第二のスタンプステーション２を通過する前に、このように一度スタンプされた基板ウェブ３０は、ラミネートフィルムとして形成され、第二の供給リール２１から巻き出される、第二のスタンプフィルム２０と組み合わされる。第一のスタンプステーション１での第一のスタンププロセスに対して上でなされた説明は、第二のスタンプステーション２での第二のスタンププロセスに対しても、同様に適用される。第二のスタンププロセスが、基板ウェブ３０の第一のラミネートフィルム１０とは反対の面に行われる場合、ラミネートフィルム２０が、基板ウェブ３０に垂直に観察された場合、ラミネートフィルム１０と略一致して配置され、または、基板ウェブ３０と同じ表面積を略カバーする場合に、基板ウェブ３０及びラミネートフィルム１０における窓開口の閉鎖に特に有利である。第二のスタンプステーション２を離れた後の、二度スタンプされた基板ウェブ３０は、最終的に、保存ローラー３２に巻き取られる。
【００６４】
図１ｃは、第一及び第二のスタンプステーションが、同一の転写フィルムで動作される、ホットスタンプ装置を示す。このホットスタンプ装置は、基板ウェブ３０が巻き出される供給ローラー３１と、基板ウェブ３０が順に通過する第一のスタンプステーション１及び第二のスタンプステーション２と、二度スタンプされた基板ウェブ３０が巻き取られる保存ローラー３２とを含む。基板ウェブ３０が第一のスタンプステーション１に入る前に、基板ウェブは、転写フィルムとして形成され、第一の供給リール１１から巻き出される、第一のスタンプフィルム１０と組み合わされる。概略図では、簡略化のために、供給リール１１が一つだけ表示されているが、実際には、基板ウェブ３０にスタンプされる第一のスタンプフィルムの数に一致する、複数の第一の供給リールが、通常平行に配置される。
【００６５】
転写フィルム１０が載った基板ウェブ３０は、第一のスタンプステーション１の加熱されたスタンプローラーの周囲にガイドされ、圧力調整が可能な加圧ローラーにより、互いに、及び、スタンプローラーの加熱表面に押圧される。スタンプローラーの表面は、例えば、凸部及び凹部を備えて、転写フィルム１０の一部のみが、スタンプローラーにもたれるように形成される。転写フィルム１０の基板３０に対向する面に配置される接着層、及び、転写フィルム１０の剥離層は、第一のスタンプステーション１において、転写フィルム１０が載る基板ウェブ３０の、スタンプローラーにもたれる、部分的なエリアに作用する、圧力及び熱により、部分的に活性化される。これにより、接着層の活性化されたエリアは、転写フィルム１０の転写層を基板ウェブ３０に部分的に接合し、転写フィルム１０は、基板ウェブ３０が第一のスタンプステーション１を通過後に、基板ウェブ３０にスタックされた転写層の部分的なエリアから剥離することができる。この剥離は、未だ転写されない転写層のエリアを備える転写フィルム１０が、偏向ローラーにより、基板ウェブ３０から離れて、基板ウェブ３０の面から調整可能な距離に置かれるガイドローラー３４に向けてガイドされるように、行われる。転写フィルム１０は、そこから、基板ウェブ３０の面へ再び供給され、第二のスタンプステーション２を通過する際に、一度スタンプされた基板ウェブ３０の上に再び載る。
【００６６】
基板ウェブ３０の長手方向に対する転写フィルム１０の規定されたシフトが、ガイドローラー３４の基板ウェブ３０からの調整可能な距離により、達成される。従って、転写フィルム１０の転写層の未だ転写されていないエリアの位置を、基板ウェブ３０に対して調整することができる。第二のスタンプステーション２におけるスタンププロセスの間、転写フィルム１０の転写層の未だ転写されていないエリアの少なくとも部分的なエリアが、基板ウェブ３０における所定の位置に転写される。第二のスタンプステーション２を離れた後の、二度スタンプされた基板ウェブ３０は、最終的に、保存ローラー３２に巻き取られる。第一のスタンプステーション１と第二のスタンプステーション２との間には、上下反転ステーションが備えられてもよく、その結果、第二のスタンプステーション２でのスタンプが、基板３０の第一のスタンプとは反対の面に実施され、単一の転写フィルムを用いて、両面がスタンプされた基板をもたらす。
【００６７】
転写フィルム１０の剥離が、第一のスタンプステーション１の後には実施されず、第二のスタンプステーション２の後にだけ実施されることも可能である。これは、特に、第一のスタンプステーション１において、転写フィルム１０の転写層の転写が全表面に亘って行われる際、すなわち、転写フィルム１０の接着層が、圧力及び熱の作用により、全表面に亘って活性化される際に、有利である。第二のスタンプステーション２において、転写フィルム１０の全表面が、再び圧力及び熱に曝され、これにより、転写フィルム１０の接着層のさらなる部分的または全体的な活性化が行われ、基板３０に対する転写フィルム１０の転写層の接着の改善が達成可能である。これは、特に、スタンプ中に、非常に速い運転速度が選択される際に、有利である。非常に速い運転速度にも関わらず、転写フィルム１０の接着層の二度の活性化が、基板３０に対する転写フィルム１０の転写層の十分な接着を可能とし、一つのスタンプステーションで同じ運転速度では、接着が十分ではない。
【００６８】
図２は、ホットスタンプ装置の様々なステーションのシーケンスの一例を概略図で示し、基板ウェブ３０により、左から右へ、順番に通過され、その下には、対応するアプリケーションを備えた基板ウェブ３０の断面を示す。まず、基板ウェブ３０は、供給ローラー３１から巻き出される。続いて、基板ウェブ３０は、印刷メカニズム４１を通過し、印刷層４１０、例えば、スティールグラビア印刷においてギロシェパターンが、基板３０に印刷される。
【００６９】
続いて、基板ウェブは、第一のスタンプステーション１を通過し、そこで、第一のスタンプ層１００が、基板の第一の面３０ｖに適用される。続いて、スタンプ４２が、一度スタンプされた基板ウェブに窓開口４２０を形成し、この窓開口は、基板ウェブ及び第一のスタンプ層１００の双方を完全に貫通する。
【００７０】
続くステップにおいて、基板ウェブは、上下反転ステーション４３により、上下反転される。続いて、光学センサー４４が、窓開口４２０の正確な位置を検出し、位置座標を、調整装置に送り、これにより、第二のスタンプステーション２における続くスタンプが、制御される。第二のスタンプ層２００が、基板の第一の面３０ｖとは反対の第二の面３０ｒに、窓開口４２０を正確に覆って適用され、窓開口４２０が、第二のスタンプ層２００により、閉じられる。続くステップで、基板ウェブは、湿潤ステーション４５により再び湿らされる。続いて、二度スタンプされた基板ウェブ３０が、保存ローラー３２に巻き取られる。
【００７１】
このホットスタンプ装置は、基板ウェブに対する第二のスタンプフィルムのアライメント及び位置の補正に役立つ、好ましくは調整可能なガイドローラーの形態の、位置調整ユニットを含んでもよい。例えば、この位置調整ユニットは、センサー４４と第二のスタンプステーション２との間に配置される。
【００７２】
ホットスタンプステーションは、さらに、放射線ユニット、好ましくは、UVランプまたは電子源を含んでもよく、それらは、基板に施された、硬化材料、例えばラッカーコーティングを硬化するための、基板の放射に役立つ。例えば、この放射線ユニットは、基板３０の移動方向に対して、印刷メカニズム４１の後、または、第一のスタンプステーション１の後に配置され、硬化可能な印刷層４１０及びその上にスタンプされた硬化可能なスタンプ層１００を、放射線により、硬化する。
【００７３】
さらに、ホットスタンプ装置は、少なくとも一つの機能エレメントを基板ウェブ上に配置する、配置ユニットを含んでもよい。例えば、配置ユニットは、基板に、LCエレメントまたはICエレメントを置くために、スタンプステーション１、２の前に配置され、それらのエレメントは、スタンプステーション１、２において、フィルム層１００、２００により、後に重ねスタンプされる。
【００７４】
図３は、第一のスタンプステーションのスタンプローラー５の概略断面を示し、８個の加圧ローラー５１が、スタンプローラー５にもたれている。ここで、フレキシブルな基板ウェブ３０が、供給ローラー３１から引き出され、キャリアフィルムと転写層とで作られる転写フィルム１０が供給リール１１から引き出され、偏向ローラー３６を越えて共にガイドされ、スタンプローラー５と加圧ローラー５１との間のギャップを通じて運ばれる。加圧ローラー５１は、転写フィルム１０、基板ウェブ３０、及びスタンプローラー５に向かって押圧され、基板ウェブ３０上への転写フィルム１０の転写層の転写に必要な圧力が生じる。加圧ローラー５１は、特定数の加圧ローラー５１、例えば、２、４、６または８個の加圧ローラーが、スタンプローラー５に向かって押圧可能であり、これにより、アプリケーションのタイプ及びスタンプ圧力の適用速度に応じて、最適に調整可能であるように、特に対で駆動されてもよい。加圧ローラー５１は、スタンプローラー５の略三分の一が、基板ウェブ３０及び転写フィルム１０により囲まれ、スタンプローラー５の下部を囲む、いわゆるローラーケージが形成されるように、配置される。従って、スタンプフィルムが載る基板ウェブ３０は、スタンプローラー５の下部の周りをガイドされる。スタンプローラー５の上部の周りのウェブガイドに対する、このウェブガイドの利点は、これにより、スタンププロセスの間に放出される過熱が、対流によって、より効率的に除去されることである。
【００７５】
スタンプローラー５から離れた後に、転写層が部分的にまたは全表面に亘って備えられた基板ウェブ３０は、剥離刃３５により、キャリアフィルム１０及び転写層の任意の非転写エリアから分離される。キャリアフィルム１０は、巻き取りリール１２に巻き取られる。一度スタンプされた基板ウェブ３０は、第一のスタンプステーションと同様に作動する第二のスタンプステーションの方向にガイドされる。
【００７６】
スタンプローラーに対する加圧ローラー５１の押圧力は、基板ウェブに対する転写フィルムまたはラミネートフィルムの接着力に影響する。この押圧力は、皿ばね、位置決めシリンダーにより、または、加圧ローラー５１の油圧または空気圧で制御される付勢ベアリングにより、調整することができる。この押圧力は、隣り合う各加圧ローラー対の押圧力に関し、特に、スタンプローラーの回転方向において、加圧ローラー対毎に、それぞれ上方に、または下方に調整することができる。
【００７７】
加圧ローラーを備えたスタンプローラーの構造及び動作のさらなる詳細は、参考文献である特許文献１、特許文献３、及び特許文献４で確認することができる。
【００７８】
図４ａは、印刷メカニズム４１、第一のスタンプステーション１、及び、第二のスタンプステーション２を、左から右へ通過する、基板ウェブ３０の概略上面図を示す。印刷メカニズム４１において、レジスターマーク４１１が、所定の間隔で、基板ウェブ３０のエッジに沿って、好ましくは有効エリアの外側で、印刷され、例えば、各列のパネルに対して一つのレジスターマーク４１１が印刷される。レジスターマーク４１１と同時に、セキュリティプリントが、基板ウェブ３０のパネルに印刷されてもよい。しかしながら、単色の印刷メカニズムの場合、レジスターマークがセキュリティプリントと同じ色で印刷されると、セキュリティプリントのタイプに因っては、レジスターマークは、センサーによる検出に対して、十分なコントラストを提供できない可能性がある。この問題を避けるために、レジスターマーク４１１は、センサーでのより良好な光学的検出を可能とするために、基板ウェブに対して好ましくは強いコントラストを示す、異なる色で印刷されてもよい。
【００７９】
また、レジスターマークの印刷は、基板の巻き出し後、即ち、基板ウェブの移動方向に対して、印刷メカニズム４１の前に、例えば、インクジェットヘッドにより、実施することができる。こうして、黒色の高いコントラストのレジスターマークが印刷可能である。続いて、レジスターマークは、印刷メカニズム４１のインセットプロセス（長手方向の位置合わせ）に用いることができる。続いて、透かしに代わる手段としてのレジスターマークは、第一のスタンプステーション１及び第二のスタンプステーション２において、インセットプロセス（長手方向の位置合わせ）に用いることができる。第二のスタンプステーション２では、第二のスタンプステーション２に対する長手方向の位置合わせを調整するために、印刷されたレジスターマークまたは透かしに代わり、穿孔機により挿入された穿孔マークが検出されてもよい。
【００８０】
センサー４４は、印刷されたレジスターマーク４１１の位置座標を検出し、それらを、調整装置に送り、これにより、第一のスタンプステーション１における第一のスタンプ層１００の後続のスタンプが、レジスターマーク４１１に対する位置合わせ精度で制御される。また、レジスターマーク４１１に対する位置合わせ精度を有する、第二のスタンプステーション２における第二のスタンプ層２００のさらなるスタンプが、印刷されたレジスターマーク４１１の位置座標に基づいて、制御される。印刷されたレジスターマークに代わり、例えば穿孔ツールにより基板ウェブに形成される、制御開口が用いられてもよい。
【００８１】
図４ｂは、第一のスタンプステーション１、及び、第二のスタンプステーション２を、左から右へ通過する、基板ウェブ３０の概略上面図を示す。第一のスタンプステーション１において、第一のスタンプ層１００が、基板ウェブ３０の上に、連続するフィルム帯の形態でスタンプされ、このフィルム帯は、デザイン特性１０２、例えば、特定の幾何学的パターンを、一定の距離で有する。センサー４４は、デザイン特性１０２の位置座標を検出し、それらを調整装置に送り、これにより、第二のスタンプステーション２における第二のスタンプ層２００の後続のスタンプが、第一のスタンプ層１００のデザイン特性１０２に対する位置合わせ精度で制御される。
【００８２】
図５は、第一のスタンプステーション１、及び、第二のスタンプステーション２を、左から右へ通過する、基板ウェブ３０の概略上面図を示す。例えば1000 mmに達する基板ウェブ３０の幅３００は、複数のパネル列３０４に分割される。特定の数のスタンプ経路を、各パネル列３０４に割り当てることができ、例えば、特定の数のスタンプ層が、各パネルに適用される。第一のスタンプステーション１では、各パネル列３０４は、第一のスタンプ経路１０１に沿って、第一のスタンプ層でスタンプされる。二つの隣り合うスタンプ経路１０１の間の距離３０１は、構造上の理由から、例えば略100 mmに制限される。第二のスタンプステーション２では、各パネル列３０４は、第二のスタンプ経路２０１に沿って、第二のスタンプ層でスタンプされる。第一のスタンプ経路１０１に対応する、二つの隣り合うスタンプ経路２０１の間の距離３０２も、構造上の理由から、例えば略100 mmに制限される。
【００８３】
第二のスタンプステーション２において、第二のスタンプ経路２０１は、第一及び第二のスタンプ経路１０１、２０１の間のオフセットが構造的に決定される制限を受けないため、第一のスタンプ経路１０１から、できる限り小さい距離で形成することができる。二つの連続するスタンプステーション１、２を通じる基板ウェブ３０の経路に因り、各パネル列、従って各パネルは、単一のプロセスにおいて、互いにできる限り小さい距離にある異なるスタンプ層で、スタンプ可能である。単一のスタンプステーションを備える従来のスタンプ装置に比べて、従って、大きな効率の改善が可能である。
【００８４】
図６ａは、二度スタンプされ、一度印刷された基板ウェブ３０の概略断面を示し、これは、ホットスタンプ装置において、以下のように形成された。供給ローラーからの基板ウェブ３０の巻き出し後、基板ウェブ３０は、第一のスタンプステーションにおいて、例えば転写フィルムから剥離されるフィルムパッチの形態の、第一のスタンプ層１００でスタンプされる。続いて、基板ウェブ３０は、その一度スタンプされた面に、印刷層４１０で印刷される。これは、オフセット印刷、シルクスクリーン印刷、グラビア印刷またはインクジェット印刷における一印刷プロセスにより、実施可能である。印刷層４１０は、情報片であり、例えば、数値、ポートレート、または他のイメージ、あるいは、再現が難しいパターン、例えば、ギロシェまたは細線格子である。印刷層４１０は、スタンプ層１００に、単独で適用されてもよい。また、印刷層４１０は、スタンプ層１００及び基板ウェブ３０の非スタンプ表面に亘り、広がってもよい。後続するステップにおいて、基板ウェブ３０は、第二のスタンプステーションにおいて、例えば転写フィルムから剥離されるフィルムパッチの形態で、第一のスタンプ層１００を正確にカバーする、第二のスタンプ層２００でスタンプされる。従って、印刷層４１０は、スタンプ層１００、２００の間の封入により、化学的及び物理的操作に対して保護される。
【００８５】
図６ｂは、二度スタンプされ、二度印刷された基板ウェブ３０の概略断面を示す。基板ウェブ３０の処理ステップは、図６ａに示す基板ウェブのものに一致し、第二のスタンプ層２００が、最後のステップにおいて、すなわち、基板ウェブの移動方向に対して、第二のスタンプステーションの後に配置される、さらなる印刷メカニズムにおいて、第二の印刷層４１２で印刷される点が異なり、これに対して、図６ａに関してなされた説明が、同様に適用される。第一及び第二の印刷層４１０、４１２の位置合わせ精度の相互作用により、光学的及び機能的効果が生じ得る。
【００８６】
図６ｃは、二度スタンプされ、三度印刷された基板ウェブ３０の概略断面を示し、これは、ホットスタンプ装置において、以下のように形成された。供給ローラーからの基板ウェブ３０の巻き出し後、基板ウェブ３０は、第一の印刷メカニズムにおいて、第一の印刷層４１０で印刷される。続いて、第一の印刷層４１０が、第一のスタンプステーションにおいて、第一のスタンプ層１００で、重ね合わせスタンプされる。続いて、第一のスタンプ層１００が、第二の印刷層４１２で印刷される。続くステップにおいて、第二の印刷層４１２は、第二のスタンプステーションにおいて、第一のスタンプ層１００を正確にカバーする第二のスタンプ層２００でスタンプされる。三つの印刷層４１０、４１２、４１３は、同じ印刷材料、例えば、同じインク、または、異なる印刷材料から成ってもよい。例えば、第一の印刷層４１０が暗いインクであり、それにより、単語または図形等の情報片が紙の基板に印刷されてもよい。第二及び第三の印刷層４１２、４１３は、さらなる効果、例えば蛍光性を示す、異なる色のニスであってもよい。三つの印刷層４１０、４１２、４１３の位置合わせ精度の相互作用により、光学的及び機能的効果が生じ得る。
【００８７】
図６ａ−図６ｃに示す層の隣り合う層、例えば、図６ｂにおける第一の印刷層４１０及び第二のスタンプ層２００は、それぞれ、隣り合う層がスタンプされ、または印刷された後に、互いに反応する、未だ完全に硬化していない材料を含んでもよい。それらの適用後に、装置の硬化ステーション、例えばUV放射線ユニットにおいて、最終硬化が行われる。最終的に硬化するまでに、第一の印刷層４１０に含まれる第一の物質は、第二のスタンプ層２００に含まれる第二の物質と相互作用し、放射線によって固定される反応状態に至る。
【００８８】
また、図６ａ−図６ｃに示す層構造は、基板ウェブ３０における窓開口を、少なくとも部分的に閉じ、またはカバーしてもよい。
【００８９】
図７ａは、二度スタンプされた基板ウェブ３０の概略断面を示し、これは、ホットスタンプ装置において、以下のように形成された。供給ローラーからの基板ウェブ３０の巻き出し後、基板ウェブ３０は、第一の印刷メカニズムにおいて、第一のスタンプ層１００で印刷される。続いて、装置の配置ステーションにおいて、機能エレメント４６０、例えばICチップまたはLCディスプレイが、第一のスタンプ層１００の中央に配置され、事前に第一のスタンプ層１００に適用された接着層により、好ましくは固定され、最終的に、続くステップにおいて、機能エレメント４６０が、第二のスタンプステーションにおいて、第一のスタンプ層１００を正確にカバーする第二のスタンプ層２００でスタンプされる。従って、機能エレメント４６０は、スタンプ層１００、２００の間の封入により、化学的及び物理的操作に対して保護される。
【００９０】
図７ｂは、二度スタンプされた基板ウェブ３０の概略断面を示し、これは、ホットスタンプ装置において、以下のように形成された。供給ローラーからの基板ウェブ３０の巻き出し後、窓開口４２０が、穿孔ユニットにおいて、基板ウェブ３０に形成される。続いて、第一のスタンプステーションにおいて、窓開口４２０が、基板３０の裏面３０ｒにスタンプされる第一のスタンプ層１００で閉じられる。続いて、基板ウェブ３０は、上下反転ステーション４３を通過し、そこで上下反転される。続いて、装置の配置ステーションにおいて、機能エレメント４６０、例えばICチップまたはLCディスプレイが、特に窓開口４２０の中央に導入され、任意の接着層４１４により、第一のスタンプ層１００に特に固定することができる。任意の後続ステップにおける印刷メカニズムにおいて、窓開口４２０における残余スペースが、充填材料４１５、例えば透明なプラスティックラッカーにより充填される。最終的に、第二のスタンプステーションにおいて、窓開口４２０が、基板ウェブ３０の表面３０ｖにスタンプされる第二のスタンプ層２００で閉じられる。機能エレメント４６０は、スタンプ層１００、２００の間の封入により、化学的及び物理的操作に対して保護される。さらに、機能エレメント４６０のエリアにおける最終基板の好ましくない厚みが、窓開口４２０における機能エレメント４６０の配置により、回避または低減される。
【符号の説明】
【００９１】
１      第一のスタンプステーション
２      第二のスタンプステーション
５      スタンプローラー
１０    第一のスタンプフィルム
１１    第一の供給リール
１２    第一の巻き取りリール
２０    第二のスタンプフィルム
２１    第二の供給リール
２２    第二の巻き取りリール
３０    基板、基板ウェブ
３０ｖ  表面
３０ｒ  裏面
３１    供給ローラー
３２    保存ローラー
３３    基板ウェブの移動方向
３４    ガイドローラー
３５    剥離刃
３６    偏向ローラー
４１    印刷メカニズム
４２    穿孔機
４３    上下反転ステーション
４４    センサー
４５    湿潤ステーション
５１    加圧ローラー
１００  第一のスタンプ層
１０１  第一のスタンプ経路
１０２  デザイン特性
２００  第二のスタンプ層
２０１  第二のスタンプ経路
３００  基板ウェブの幅
３０１  隣り合う第一のスタンプ経路の間の距離
３０２  隣り合う第二のスタンプ経路の間の距離
３０３  第一及び第二のスタンプ経路の間の距離
３０４  パネル列
４１０  （第一の）プリント層
４１１  レジスターマーク
４１２  第二の印刷層
４１３  第三の印刷層
４１４  接着層
４１５  充填材料
４２０  窓開口
４６０  機能エレメント
【先行技術文献】
【特許文献】
【００９２】
【特許文献１】EP 0 089 494 A2
【特許文献２】WO 2010/072 339 A2
【特許文献３】WO 2005/120 832 A1
【特許文献４】DE 32 10 551 A1
【図１ａ】
0006002977.tif 000002
【図１ｂ】
0006002977.tif 000003
【図１ｃ】
0006002977.tif 000004
【図２】
0006002977.tif 000005
【図３】
0006002977.tif 000006
【図４ａ】
0006002977.tif 000007
【図４ｂ】
0006002977.tif 000008
【図５】
0006002977.tif 000009
【図６ａ】
0006002977.tif 000010
【図６ｂ】
0006002977.tif 000011
【図６ｃ】
0006002977.tif 000012
【図７ａ】
0006002977.tif 000013
【図７ｂ】
0006002977.tif 000014